(57)【要約】【課題】目視では判別することができない偽造防止印刷をカットマークに付加したロール紙、及びロール紙を切断して得るチケットを提供することを目的とする。【解決手段】磁気インキによる偽造防止パターン２ａをロール紙に印刷し、偽造防止パターンを隠蔽する印刷を施してなるカットマーク２をロール紙３に設けたことにより、発券したチケット１が正規のチケットであるか否かを偽造防止パターンを検証することで確認することができる。通常ロール紙から切断した後は使用用途のなかったカットマークに偽造防止印刷を付加したことで、カットマークにロール紙から切断した後の機能を付加することができる。【選択図】        図１
2004216768.tif 000002
【特許請求の範囲】
【請求項１】
切断位置を決めるための基準となるカットマークが付加されたロール紙であって、
前記カットマークを、磁性体を含んだインキで印刷したことを特徴とするロール紙。
【請求項２】
前記カットマークは、磁性体からなる偽造防止パターンであり、該偽造防止パターンを隠蔽する印刷を施してなることを特徴とする請求項１記載のロール紙。
【請求項３】
切断位置を決めるための基準となるカットマークが付加されたロール紙を所定のサイズに切断して得るチケットであって、
前記カットマークを、磁性体を含んだインキで印刷したことを特徴とするロール紙を切断して得るチケット。
【請求項４】
前記カットマークは、磁性体からなる偽造防止パターンであり、該偽造防止パターンを隠蔽する印刷を施してなることを特徴とする請求項３記載のロール紙を切断して得るチケット。
【発明の詳細な説明】
【０００１】
【発明の属する技術分野】
本発明は、切断位置の指示となるマーク（カットマーク）に偽造防止機能を付与したロール紙及びロール紙を切断して得るチケットに関する。
【０００２】
【従来の技術】
従来、入場券、抽選券等の券紙を発券するシステムや、印刷紙に印刷を行なうプリンタに、ロール紙に巻き取られた紙を必要な部分だけ切り取って発券、印刷するシステムが用いられている。
【０００３】
これらのシステムでは、ロール紙に墨インキで付けられたカットマークを光学的に読み取って切り取り位置を認識し、ロール紙を切断することで券紙、所定サイズの印刷紙としている。
【０００４】
ロール紙を所定の長さで切断する切断装置に関する技術が以下に示す特許文献１、２に開示されている。
【０００５】
【特許文献１】
実開昭６１−１４８６４９号公報
【特許文献２】
特開昭６４−２０９９９号公報
【０００６】
特許文献１としての実開昭６１−１４８６４９号公報に開示された技術は、以下に示すものである。
ロール紙を使用する静電プリンタ・プロッタにて連続的に描画・出図された用紙から自動的に規格図面寸法に切断処理する紙切装置において、用紙面上に記録された切断位置・切断モードの指令となるバーコードマークを、用紙幅の両端部に分割しそのバーコードマーク形状を同一とすると共に、用紙の移動方向に対してそれぞれ前後にずらして記録せしめ、かつこの記録されたバーコードマークに対応する読取り位置にホトセンサを設置するようにしてなることを特徴とする。
【０００７】
特許文献２としての特開昭６４−２０９９９号公報に開示された技術は、以下に示すものである。
ロール紙を使用するプリンタに設けられ、該ロール紙を所定長さごとに切断する下記要件を備えたことを特徴とする。
（イ）上記ロール紙上に設けられた上記ロール紙の切断を指示する切断指示手段と、該切断指示手段を光学的に検知する光センサを有してなる位置検出部を備える。
（ロ）上記位置検出部からの上記切断指示手段の検知信号により上記ロール紙の紙送りを減速すると共に、上記ロール紙の紙送りを停止しかつ切断手段を駆動して上記ロール紙の切断を行なう駆動制御部を備える。
【０００８】
【発明が解決しようとする課題】
しかしながら墨インキで印刷されたカットマークは、ロール紙から切断するために光学的に読み取られた後の使用用途は無かった。
【０００９】
本発明は上記事情に鑑みてなされたものであり、目視では判別することができない偽造防止印刷をカットマークに付加したロール紙、及びロール紙を切断して得るチケットを提供することを目的とする。
【００１０】
【課題を解決するための手段】
係る目的を達成するために請求項１記載の発明は、切断位置を決めるための基準となるカットマークが付加されたロール紙であって、カットマークを、磁性体を含んだインキで印刷したことを特徴とする。
【００１１】
請求項２記載の発明は、請求項１記載の発明において、カットマークは、磁性体からなる偽造防止パターンであり、偽造防止パターンを隠蔽する印刷を施してなることを特徴とする。
【００１２】
請求項３記載の発明は、切断位置を決めるための基準となるカットマークが付加されたロール紙を所定のサイズに切断して得るチケットであって、カットマークを、磁性体を含んだインキで印刷したことを特徴とする。
【００１３】
請求項４記載の発明は、請求項３記載の発明において、カットマークは、磁性体からなる偽造防止パターンであり、偽造防止パターンを隠蔽する印刷を施してなることを特徴とする。
【００１４】
【発明の実施の形態】
次に、添付図面を参照しながら本発明のロール紙及びロール紙を切断して得るチケットに係る実施の形態を詳細に説明する。図１〜図１４を参照すると本発明のロール紙及びロール紙を切断して得るチケットに係る実施の形態が示されている。
【００１５】
まず、図１を参照しながら第１の実施形態のチケットの構成を説明する。なお、本実施形態のチケットは抽選券、馬券、車券、引き換え券、入場券等に適用することができる。図１に示されるように本実施形態のチケット１は、チケットの表面、裏面の何れかの面の所定の領域に、偽造防止印刷を施したカットマーク２を設けている。
【００１６】
カットマーク２は、図１（Ａ）に示されるようにチケット１の表面に磁気インキによる偽造防止印刷２ａを印刷した後で、図１（Ｂ）に示されるように偽造防止印刷２ａを墨インキ２ｂで隠蔽している。墨インキ２ｂにより目視では偽造防止印刷２ａを視認することはできない。また、偽造防止印刷２ａの磁気パターンに関しては特に限定しないが、例えば、チケットを発券する発券機毎に偽造防止印刷を変更することでどの発券機で発券されたチケットであるのかを識別することも可能である。
【００１７】
本実施形態は、通常使用しているカットマーク２の下地に磁気パターンからなる偽造防止印刷２ａを設けたことにより、図２に示されるようにチケットのデザインを変更することなく偽造防止機能をチケットに付加することができる。
【００１８】
次に、チケットとして切断する前のロール紙３の構成、及びこのロール紙３を所定の長さで切断してチケットにする手順を説明する。
本実施形態では、複数ロール分の幅（図３に示された実施形態では４ロール分）を有する用紙に図３に示されるようにチケットを等間隔で印刷し、１ロール分毎に切断してロール芯に巻き取ることで図４に示されたロール紙３が出来上がる。なお、すべてのチケット１には、上述したように磁気インキによる偽造防止印刷２ａ上に、墨インキ２ｂによる隠蔽を施したカットマーク２が設けられている。偽造防止印刷２ａの磁気パターンは、図５に示されるようにロール紙毎に変更することも可能である。これにより、発券されたチケットがどのロール紙から切り取られたチケットであるのかを識別することができる（例えば、発券所毎に偽造防止印刷パターンを変更することで、どの発券所から発券されたものであるのかを特定することができる）。また、図６に示されるように磁気パターンをチケット一枚毎に変更する（一本のロールで数種類の磁気パターンを繰り返して印刷する）ことも可能である。
【００１９】
次に、ロール紙を切断してチケットを得る手順を説明する。
図７には図４に示された形状のロール紙を切断してチケットを発券するチケット発券機の構成が示されている。チケット発券機は、ロール芯に巻かれたロール紙を印刷、切断を行なうライン上に引き出し、図７に示された光センサでカットマーク２の位置を検出する。チケット発券機は、カットマーク２によって基準位置（例えば、カットマークの中央部分）を検出すると、この検出した基準位置から所定の長さの所でロール紙３を切断してチケットとする。なお、基準位置を検出してから切断を行なうまでの間に表面に印字が行なわれる（例えば、チケットが馬券や車券であるならばお客が購入した番号の印刷）。
【００２０】
また、チケット発券機により発券され、お客の手に渡ったチケットが正規のチケットであるか否かを判定する時には、図８に示された読み取り装置の磁気センサによって偽造防止印刷２ａを判定する。カットマーク２の下地として設けた偽造防止印刷２ａの磁気パターンを磁気センサで読み取った結果、印刷が施されていない、または異なる印刷が施されていた場合には、チケットを正規のチケットではないと判定する。なお、読み取り装置には、図８（Ａ）に示されるように磁気センサで磁気を読み取ったチケットをそのまま後方に通過させる構成と、図８（Ｂ）に示されるように磁気読み取り後のチケットを、チケットを読み込んだ方向に返送する構成とが適用できる。
【００２１】
図９には磁気インキにより印刷した偽造防止の印刷パターンと、この偽造防止の印刷パターンを磁気センサで検出した時の出力パターンとが示されている。図９に示されるようにチケットに印刷された偽造防止印刷２ａを磁気センサで読み取り、読み取った偽造防止印刷２ａのパターンが予め登録されたパターンであるか否かを判定することで、正規のチケットであるか否かを判定することができる。
【００２２】
このように本実施形態は、偽造防止印刷２ａを墨インキ２ｂにより隠蔽しているので、チケットの容易な偽造を防止することができ、偽造防止印刷２ａがあるか否かを判断するだけでもチケットが正規のものであるか否かを判定することができる。なお、上述した実施形態では、磁気インキによる偽造防止印刷２ａをカットマーク２で隠蔽する構成を取っていたが、カットマーク２自体を磁気インキのベタ印刷のみで設けてもよい。また、本実施形態は、図１０に示されるようにカットマーク２としてチケットを切断する時の切断方向と、チケットを磁気読み取り機に入力して磁気を読み取る時の読み取り方向が異なるように設けている。しかし、図１１に示されるようにカットマーク２としてチケットを切断する時の切断方向と、チケットを磁気読み取り機に入力して磁気を読み取る時の読み取り方向とが同一の方向となるようにカットマーク２を設けてもよい。
【００２３】
次に、本発明に係る第２の実施形態について説明する。
本実施形態は、図１２に示されるようにチケット１の発券時に、チケット１に印刷された偽造防止印刷２ａの磁気パターンを読み取り、もう一方の面に読み取った偽造防止印刷２ａが示す文字等を光学的読み取り可能なＯＣＲフォントやバーコード等により一見では判らないように印字を行なう。チケットが正規のチケットであるか否かの判定時には、一方の面に設けた偽造防止印刷２ａの磁気パターンが示す文字と、もう一方の面に設けた文字とを照合することで真偽判定を行なう。
【００２４】
次に、図１３に示された構成のチケットを発券するチケット発券機の構成、及び発券されたチケットの正当性を判定する読み取り装置の構成を図１３、及び図１４を参照しながら説明する。
図１３に示されたチケット発券機は、光センサによってカットマーク２の位置を検出すると、次に、チケット発券機の磁気センサによりロール紙に印刷された偽造防止印刷２ａの磁気パターンを読み取り、偽造防止印刷２ａを設けた面とは反対側の面に、読み取った偽造防止印刷２ａが示す文字を光学的読み取りが可能なＯＣＲフォントやバーコード等により一見では判らないように印字を行なう。
【００２５】
また、チケット発券機により発券され、お客の手に渡ったチケットが正規のチケットであるか否かを判定する時には、図１４に示される読み取り装置にて、まず一方の面に設けた偽造防止印刷２ａを磁気センサで読み取る。次に、もう一方の面に設けたＯＣＲフォントやバーコードによる印字を光センサにより読み取り、これらを比較することでチケットが正規のチケットであるか否かを判定する。
【００２６】
このように本実施形態は、ロール紙の一方の面に偽造防止印刷２ａを設けてカットマーク２により隠蔽すると共に、もう一方の面に偽造防止印刷２ａが示す文字を一見では判らないように印字したことにより、チケットの正当性判断を容易に、しかも確実に行なうことができる。
【００２７】
なお、上述した実施形態は本発明の好適な実施の形態である。但し、これに限定されるものではなく本発明の要旨を逸脱しない範囲内において種々変形実施可能である。
【００２８】
【発明の効果】
以上の説明より明らかなように本発明は、カットマークを、磁性体を含んだインキで印刷する、またはカットマークに、磁性体からなる偽造防止パターンを隠蔽する印刷を施したカットマークをロール紙に設けたことにより、発券したチケットが正規のチケットであるか否かを確認することができる。通常ロール紙から切断した後は使用用途のなかったカットマークに偽造防止機能を付加したことで、カットマークにロール紙から切断した後の機能を付加することができる。
【００２９】
また、偽造防止パターンを隠蔽したことにより、チケットの容易な偽造を防止すると共に、チケットのデザインを変更することなく偽造防止機能を付加することができる。
【図面の簡単な説明】
【図１】本発明に係るチケットの構成を示す図である。
【図２】チケットの表面の外観を示す図である。
【図３】チケットが印刷されたロール紙の製造手順を説明するための図である。
【図４】ロール紙の外観形状を示す図である。
【図５】ロール紙に印刷される偽造防止印刷の一例を示す図である。
【図６】ロール紙に印刷される偽造防止印刷の一例を示す図である。
【図７】第１の実施形態のチケット発券機の構成を示す図である。
【図８】第１の実施形態の読み取り装置の構成を示す図である。
【図９】カットマークに付加した偽造防止印刷の印刷パターンと、磁気センサによる読み取り結果を示す図である。
【図１０】ロール紙の構成を示す図である。
【図１１】ロール紙の構成を示す図である。
【図１２】第２の実施形態のチケットの構成を説明するための図である。
【図１３】第２の実施形態のチケット発券機の構成を示す図である。
【図１４】第２の実施形態の読み取り装置の構成を示す図である。
【符号の説明】
１  チケット
２  カットマーク
２ａ  偽造防止印刷
２ｂ  墨インキ
３  ロール紙
【図１】
2004216768.tif 000003
【図２】
2004216768.tif 000004
【図３】
2004216768.tif 000005
【図４】
2004216768.tif 000006
【図５】
2004216768.tif 000007
【図６】
2004216768.tif 000008
【図７】
2004216768.tif 000009
【図８】
2004216768.tif 000010
【図９】
2004216768.tif 000011
【図１０】
2004216768.tif 000012
【図１１】
2004216768.tif 000013
【図１２】
2004216768.tif 000014
【図１３】
2004216768.tif 000015
【図１４】
2004216768.tif 000016